(57)【特許請求の範囲】
【請求項１】
矩形状をなし電子部品を搭載した複数のモジュールを多層化して配置する際の、各モジュール間を接続する端子構造において、
互いに隣接する２つのモジュール間に設けられ、前記各モジュールの側面部に接続される平板形状の連結用端子を有し、
前記連結用端子は、少なくとも２つの屈曲部を有する折れ線形状の切欠部を備え、
前記切欠部を、前記２つの屈曲部にて折り曲げることにより、前記２個のモジュールを多層化すると共に、前記切欠部に接する前記連結用端子の一部は折り曲げられずに、前記モジュールと同一平面上に突起する突起状端子とされ、この突起状端子を、他の電子機器との接続用の端子とすることを特徴とするモジュールの端子構造。
【請求項２】
前記折れ線形状は、Ｌ字形状であることを特徴とする請求項１に記載のモジュールの端子構造。
【請求項３】
前記折れ線形状は、コ字形状であることを特徴とする請求項１に記載のモジュールの端子構造。
【請求項４】
前記連結用端子は、前記２つの屈曲部にてそれぞれ略直角に折り曲げられることを特徴とする請求項１〜請求項３のいずれか１項に記載のモジュールの端子構造。
【発明の詳細な説明】
【技術分野】
【０００１】
本発明は、複数のモジュールを多層化して配置し、且つモジュールどうしを接続する端子構造に関する。
【背景技術】
【０００２】
例えば、ハイブリッドＩＣ等の電子部品を搭載するモジュールは、矩形状をなし、その側面部から複数の端子が突起して設けられている（例えば、特許文献１参照）。そして、２つのモジュールを接続する場合には、各モジュールを平面的に近接配置し、それぞれのモジュールの側面部から突起した端子どうしを接続する。このようなモジュール間の接続構造では、モジュールの側面部から端子が突起しているので、各モジュールを平面的に配置せざるを得ず、基板上に設置する場合にはスペースが必要になるという問題があある。
【０００３】
そこで、複数のモジュールを多層化して配置することが望まれるが、複数のモジュールを多層化して配置する場合には、モジュール間の端子間接続が複雑になるという欠点があり実現性に乏しかった。
【先行技術文献】
【特許文献】
【０００４】
【特許文献１】特開２００５−３４０５８１号公報
【発明の概要】
【発明が解決しようとする課題】
【０００５】
上述したように、従来におけるモジュールの端子間接続では、各モジュールが平面的な配置とならざるを得ず、多くの設置スペースを要するという問題があり、また、モジュールを多層化して配置する場合においても、端子間接続が複雑になるので実現性に乏しく、何とか簡単な接続でモジュールを多層化したという要望が高まりつつあった。
【０００６】
本発明は、このような従来の課題を解決するためになされたものであり、その目的とするところは、複数のモジュールを簡単な構成で多層化することが可能なモジュールの端子構造を提供することにある。
【課題を解決するための手段】
【０００７】
上記目的を達成するため、本願請求項１に記載の発明は、矩形状をなし電子部品を搭載した複数のモジュールを多層化して配置する際の、各モジュール間を接続する端子構造において、互いに隣接する２つのモジュール間に設けられ、前記各モジュールの側面部に接続される平板形状の連結用端子を有し、前記連結用端子は、少なくとも２つの屈曲部を有する折れ線形状の切欠部を備え、前記切欠部を、前記２つの屈曲部にて折り曲げることにより、前記２個のモジュールを多層化すると共に、前記切欠部に接する前記連結用端子の一部は折り曲げられずに、前記モジュールと同一平面上に突起する突起状端子とされ、この突起状端子を、他の電子機器との接続用の端子とすることを特徴とする。
【０００８】
請求項２に記載の発明は、前記折れ線形状は、Ｌ字形状であることを特徴とする。
【０００９】
請求項３に記載の発明は、前記折れ線形状は、コ字形状であることを特徴とする。
【００１０】
請求項４に記載の発明は、前記連結用端子は、前記２つの屈曲部にてそれぞれ略直角に折り曲げられることを特徴とする。
【発明の効果】
【００１１】
本発明に係るモジュールの端子構造では、２つのモジュール間に設けられる連結用端子に折れ線形状の切欠部を設け、この切欠部を、２つの屈曲部にてそれぞれ折り曲げることにより、２個のモジュールを多層化するので、２つのモジュールを容易に多層化できる。また、切欠部に接する連結用端子の一部は折り曲げられずに、モジュールと同一平面上に突起する突起状端子とされるので、この突起状端子を用いて他の電子機器との接続を行うことができ、端子間接続の融通性を高めることができる。
【図面の簡単な説明】
【００１２】
【図１】本発明の一実施形態に係る端子構造が採用されるモジュール及び接続用端子の構成を示す説明図である。
【図２】本発明の一実施形態に係る端子構造によりモジュールを多層化した状態を示す説明図である。
【図３】本発明の変形例に係る端子構造が採用される接続用端子の構成を示す説明図である。
【図４】本発明の一実施形態に係る端子構造の、接続用端子の構成を示す斜視図である。
【図５】本発明の変形例に係る端子構造の、接続用端子の構成を示す斜視図である。
【発明を実施するための形態】
【００１３】
以下、本発明の実施形態を図面に基づいて説明する。図１は、本発明の一実施形態に係る端子構造が採用された２つのモジュールの接続状態を示す説明図である。図１（ａ）に示すように、第１モジュール１１と第２モジュール１２との間は、複数の連結用端子１４が設けられ、それぞれ第１モジュール１１の側面、及び第２モジュール１２の側面にて接続されている。また、第１モジュール１１の、第２モジュール１２とは反対側となる側面には複数の端子１３が設けられ、第２モジュール１２の、第１モジュール１１とは反対側となる側面には端子１５が設けられている。
【００１４】
従って、第１モジュール１１は、連結用端子１４を介して第２モジュール１２との間でのデータ伝送及び電力伝送が可能となり、且つ、端子１３を介して他の電子機器との間でのデータ伝送、及び電力伝送が可能となる。同様に、第２モジュール１２は、連結用端子１４を介して第１モジュール１１との間でのデータ伝送及び電力伝送が可能となり、且つ、端子１５を介して他の電子機器との間でのデータ伝送及び電力伝送が可能となる。
【００１５】
連結用端子１４は、図１（ｂ）に示すように、中央部にＬ字形状（折れ線形状）の切欠部２１が形成されており、該切欠部２１の一方の端部が屈曲部２２とされ、他方の端部が屈曲部２３とされている。また、２つの屈曲部２２，２３の間で、これらの屈曲部２２，２３にて折り曲げられない部分が突起部１４ａ（突起状端子）とされている。また、第１モジュール１１の側面から屈曲部２２までの距離Ｌ１とし、第２モジュール１２の側面から屈曲部２３までの距離Ｌ２とした場合に、Ｌ１＝Ｌ２となるように設定されている。
【００１６】
そして、連結用端子１４を、屈曲部２２にて略直角に折り曲げ、更に、屈曲部２３にて略直角に折り曲げることにより、連結用端子１４は、図４に示すように全体で１８０度折り曲げられ、図２（ａ）の平面図、図２（ｂ）の側面図に示すように、第１モジュール１１の上側に第２モジュール１２を重ねた状態（多層化した状態）とすることができる。
【００１７】
従って、平面的に設置する場合よりも、少ないスペースに２つのモジュール１１，１２を設置することができ、また、第１モジュール１１に接続された端子１３、及び第２モジュール１２に接続された端子１５を用いて、他の電子機器と接続することができる。更に、２つの屈曲部２２，２３で折り曲げられない部分となる突起部１４ａは、図２，図４に示すように、第１モジュール１１の側面から突起する端子となるので、この突起部１４ａを用いることによっても、他の電子機器との接続が可能となる。
【００１８】
このようにして、本実施形態に係るモジュールの端子構造では、第１モジュール１１と第２モジュール１２とを接続する連結用端子１４にＬ字形状の切欠部２１を形成し、連結用端子１４を２つの屈曲部２２，２３を折り曲げることにより、第１モジュール１１と第２モジュール１２を多層化するので、簡単な構成で多層化することができる。また、２つのモジュール１１，１２を平面的に設置する場合と比較して設置スペースを少なくすることができる。更に、連結用端子１４を折り曲げることにより突起部１４ａが形成され、該突起部１４ａを他の電子機器と接続するための端子とすることができるので、他の電子機器との接続についての融通性を高めることが可能となる。
【００１９】
なお、本実施形態では、２つのモジュール１１，１２を接続する端子構造を例に挙げて説明したが、３つ以上のモジュールを連結用端子を用いて接続することも可能である。この場合には、モジュールを３段以上に重ねた構成とすることができ、より一層省スペース化を図ることができる。
【００２０】
また、上記した実施形態では、連結用端子１４に設けられた屈曲部２２，２３で略直角に折り曲げる例について説明したが、本発明は直角に限定されるものではない。例えば、屈曲部２２で８０度の角度で折り曲げ、屈曲部２３で１００度の角度で折り曲げて、全体で１８０度の角度を折り曲げることにより、２つのモジュール１１，１２を多層化することも可能である。この場合には、図１（ｂ）に示す距離Ｌ１、Ｌ２は、Ｌ１＞Ｌ２となる。
【００２１】
次に、本発明の変形例について説明する。図３は、変形例に係る連結用端子３１の構成を示す説明図である。図３に示すように、この連結用端子３１は、中央部にコ字形状（折れ線形状）の切欠部３２が形成されている。そして、切欠部３２の一方の端部は屈曲部３３，３４とされ、他方の端部は屈曲部３５とされている。また、屈曲部３３，３４と３５の間に存在し、この屈曲部３３〜３５で折り曲げられない部分が突起部３１ａ（突起状端子）とされている。また、第１モジュール１１の側面から屈曲部３３，３４までの距離Ｌ３と、第２モジュール１２の側面から屈曲部３５までの距離Ｌ４とが等しくなるように設定されている。
【００２２】
そして、連結用端子３１を、屈曲部３３，３４にて略直角に折り曲げ、更に、屈曲部３５にて略直角に折り曲げることにより、連結用端子３１は、図５に示すように全体で１８０度折り曲げられ、第１モジュール１１と第２モジュール１２を重ねた状態（多層化した状態）とすることができる。
【００２３】
このようにして、変形例に係るモジュールの端子構造においても、前述した実施形態と同様に、連結用端子３１を各屈曲部３３，３４，３５で折り曲げることにより、第１モジュール１１と第２モジュール１２を多層化するので、２つのモジュールを平面的に設置する場合と比較して設置スペースを少なくすることができる。また、連結用端子３１を折り曲げることにより突起部３１ａが形成され、該突起部３１ａを他の電子機器と接続するための端子とすることができるので、他の電子機器との接続についての融通性を高めることが可能となる。
【００２４】
以上、本発明のモジュールの端子構造を図示の実施形態に基づいて説明したが、本発明はこれに限定されるものではなく、各部の構成は、同様の機能を有する任意の構成のものに置き換えることができる。
【産業上の利用可能性】
【００２５】
本発明は、モジュールの設置スペースを少なくすることに利用することができる。
【符号の説明】
【００２６】
１１  第１モジュール
１２  第２モジュール
１３  端子
１４  連結用端子
１４ａ  突起部
１５  端子
２１  切欠部
２２，２３  屈曲部
３１  連結用端子
３１ａ  突起部
３２  切欠部
３３，３４，３５  屈曲部
【図１】
0005622623.tif 000002
【図２】
0005622623.tif 000003
【図３】
0005622623.tif 000004
【図４】
0005622623.tif 000005
【図５】
0005622623.tif 000006